(57)【特許請求の範囲】
【請求項１】
入賞室と、この入賞室に流入した遊技球を回転によって移送する回転盤と、流入した遊技球を回転によって揚送するスクリュー体とを備えたパチンコ機の入賞装置であって、
電源投入中は所定の速度で回転を続けている前記回転盤と同じく電源投入中は所定の速度で回転を続けているスクリュー体とで振分装置を構成し、前記入賞室に流入した遊技球を検出する役物スイッチを設け、該役物スイッチの検出によって前記回転盤の回転速度を前記所定の速度から減速させて前記スクリュー体の回転速度より遅くし、流入した遊技球を前記回転盤に複数設けた球嵌入孔または球導入路の何れかに振り分け、前記振分装置により球嵌入孔に嵌入した遊技球をパチンコ機の機裏に排出し、球導入路に載った球をスクリュー体によって入賞室の上方へ揚送させ、前記入賞室の外部に形成された入賞路へ排出することを特徴とするパチンコ機の入賞装置。
【発明の詳細な説明】
【０００１】
【発明の属する技術分野】
この発明は、パチンコ機の入賞装置に関するものである。
【０００２】
【従来の技術】
周知のように、パチンコ機の入賞装置は数多く提案されており、例えば、特開昭６１−２２８８８７号公報に記載されたパチンコ機がある。このパチンコ機は、権利確保球検出スイッチを備える権利確保用入賞口を有し、図柄表示装置が特定の図柄を表示している間に、権利確保球検出スイッチがオンすると、変動入賞装置における入賞確率を増大させることができる。即ち、変動入賞装置を打球が入り易い状態に変換させることができる。
【０００３】
【発明が解決しようとする課題】
しかしながら、上記公報に記載されたパチンコ機を始め、従来のパチンコ機では、図柄表示装置の始動入賞口における入賞確率を変化若しくは零にすることはできない。従って、図柄表示装置が表示する図柄、換言すると識別情報に基づく所謂「大当り」と「大当り」との間の時間がランダムになってしまいゲーム性を著しく悪くしてしまっているのが現状である。
また、従来の入賞装置において、球は上方から下方へ流下運動しているのみで、球の動きに新鮮味がなくなっているのが現状である。
本発明は上記に鑑み提案されたもので、従来にない球の動きが可能で、遊技興趣の高いパチンコ機の入賞装置を提供することを目的とする。
【０００４】
【課題を解決するための手段】
上記の課題を解決するため、請求項１に係る発明は、入賞室と、この入賞室に流入した遊技球を回転によって移送する回転盤と、流入した遊技球を回転によって揚送するスクリュー体とを備えたパチンコ機の入賞装置であって、電源投入中は所定の速度で回転を続けている前記回転盤と同じく電源投入中は所定の速度で回転を続けているスクリュー体とで振分装置を構成し、前記入賞室に流入した遊技球を検出する役物スイッチを設け、該役物スイッチの検出によって前記回転盤の回転速度を前記所定の速度から減速させて前記スクリュー体の回転速度より遅くし、流入した遊技球を前記回転盤に複数設けた球嵌入孔または球導入路の何れかに振り分け、前記振分装置により球嵌入孔に嵌入した遊技球をパチンコ機の機裏に排出し、球導入路に載った球をスクリュー体によって入賞室の上方へ揚送させ、前記入賞室の外部に形成された入賞路へ排出するパチンコ機の入賞装置である。
【０００５】
【発明の実施の形態】
以下、本発明を図面の実施形態について説明すると、図１はパチンコ機１の正面図であって、窓部を有した額縁状の前枠２の一側を外枠３に開閉可能に蝶着し、上記窓部には金枠４を設け、該金枠４の上方部分にはガラスを装着したガラス枠５を開閉可能に軸着し、上記前枠２及びガラス枠５を施錠装置６で施錠可能とする。また、ガラス枠５の下方部分には上皿７を設けたフロントプレート８等からなる上受皿セット９を設け、前枠２の下方部分には下皿１０や打球の飛距離を調整する操作ハンドル１１等を設けた下受皿セット１２を設ける。また、上記前枠２の窓部には遊技盤１３を後方から臨ませる。
【０００６】
遊技盤１３にはガイドレール１４で囲まれる遊技部１５を形成し、該遊技部１５のほゞ中央部分に、天入賞口１６と振分装置１７とを備えると共に普通図柄表示装置１８を備えるセンター役物１９を設ける。また、上記センター役物１９の向かって左側には、特別領域を含む複数の通過領域が形成された特別入賞装置２０を配設する。更に、左斜め下方には、打球の流入が困難な第１状態と打球の流入が容易な第２状態とに変換可能な可変入賞装置２１を設け、この可変入賞装置２１を後述する図柄始動口２２とする。一方、遊技部１５の右側部分には、第３種始動口２３に設定した回転入賞装置２４及び大入賞口２５に設定した変動入賞装置２６を配設する。そして、遊技部１５の最下位置にはアウト口２７を開設する。尚、遊技部１５の適宜位置には、種々の入賞具２８…及び各種表示灯２９…、風車３０等を配設し、パチンコ機１の上縁部には外部表示灯３１が設けてある。また、上受皿セット９にはスピーカ３２が臨み、種々の効果音や不正遊技時の警報等を発声する。
【０００７】
センター役物１９は、図示の実施形態によれば、回転盤３３及びスクリュー体３４とからなる振分装置１７を有する。即ち、センター役物１９には、打球が流下する遊技部１５と隔離された入賞室３５が設けてあり、この入賞室３５内に、駆動源として役物回転盤駆動モータ３６を有する回転盤３３及び役物スクリュー駆動モータ３７を有するスクリュー体３４が収設してある。
【０００８】
上記入賞室３５は、天入賞口１６の下方に設けた左側方に向けて開口する天下入賞口３８を唯一の球入口としており、この天下入賞口３８に連通する球誘導樋３９を通して入賞室３５へ流入可能になっている。上記球誘導樋３９の途中には、役物スイッチ４０を臨ませ、当該役物スイッチ４０が作動すると、電源投入中は所定の速度で回転を続けている回転盤３３の回転速度を所定時間減速する。この減速により球の行方の確認を容易にして遊技の興趣を向上させると共に、スクリュー体３４と回転盤３３との同期をずらせて打球発射のタイミングを計った狙い撃ちを防止する。上記球誘導樋３９の下流側は回転盤３３の周縁に球周遊路４１として展開し、球周遊路４１に流入した球は、回転盤３３上に転出し、該回転盤３３に設けた複数の球嵌入孔４２または球導入路４３の何れかに振り分けられる。尚、図示の実施形態では、球周遊路４１の下端に、弾性を有する金属板からなる反射板４４が設けてあり、当該反射板４４に衝突した球を反発させて回転盤３３に導くようになっている。また、回転盤３３の上面には、高さの低い誘導仕切板４５ａ，４５ｂ及び仕切ボス４６が突設してあり、回転盤３３上の球が無暗に転動しないようになっている。
【０００９】
そして、球嵌入孔４２に嵌入した球は、回転盤３３の回転によって球排出口（図示せず）に移送されて入賞球として機裏へ排出される。一方、球導入路４３に載った球は、入賞室３５のほゞ中央に立設したスクリュー体３４に導入され、該スクリュー体３４によって入賞室３５の上方へ揚送される。揚送された球は、当該センター役物１９の入賞室３５の外部に形成された入賞路４７に排出される。上記入賞路４７には、後述する普通図柄表示装置１８の図柄変動を開始するための普通図柄表示装置作動ゲート４８が臨んでいる。従って、このセンター役物１９においは、入賞室３５へ流入する球を、一般入賞球と始動入賞球とに振り分けることができる。
【００１０】
また、上記センター役物１９には、普通図柄表示装置１８を並設する。この普通図柄表示装置１８は、複数の図柄を可変表示できればどのような構成でもよいが、図示の実施形態によれば、所謂７セグメントデジタル表示器によって構成してあり、「０」−「９」の１０枚の数字を表示可能である。また、この実施形態によれば、普通図柄表示装置１８の周囲に図柄始動記憶表示器４９を配設してある。この図柄始動記憶表示器４９についても後述する。
【００１１】
普通図柄表示装置作動ゲート４８は、普通図柄表示装置１８における図柄の変動表示を開始する機能を有する。即ち、上記入賞路４７に第１図柄始動スイッチ５０（尚、図８及び図１２では図柄始動スイッチ▲１▼とする。）を臨ませてあり、当該入賞路４７を通過する球によって、上記第１図柄始動スイッチ５０がオンして図柄の変動表示を開始する。また、図柄の変動表示中に第１図柄始動スイッチ５０がオンすると、最大４個まで記憶し、図柄始動記憶表示器４９によって可視表示する。そして、図柄の変動表示停止後、または特別入賞装置２０の開放動作終了後に、上記始動記憶に基づいて再び図柄の変動表示を開始する。
【００１２】
普通図柄表示装置１８が可変表示を開始し、所定時間が経過すると図柄の変動を停止する。このとき表示する図柄が特定の図柄であるとき、例えば「７」である場合は、特別領域を設けた特別入賞装置２０を所定時間が経過するか、また所定個数の入球があるまで開放する（例えば、１０秒または１０個）。
【００１３】
特別入賞装置２０は、図６ないし図７に示す実施形態によれば、駆動源として設けた特別装置駆動ソレノイド５１（尚、図８では電動役物ソレノイド▲１▼とする。）によって、ゲート部材５２が前後して、特別領域５３を含む複数の通過領域５５を開放及び閉成するものである。即ち、中央に特別領域５３を有すると共に左右に一般入賞領域５４を備え、特別領域５３には保留プレート５６が臨んでおり、該保留プレート５６によって、球１個が特別領域５３の上で保留され、ゲート部材５２が閉成されるときに、当該特別入賞装置２０内に取り込まれて、特別装置作動スイッチ５７が作動するようになっている。
【００１４】
特別装置作動スイッチ５７が作動すると所謂権利が発生する。即ち、この権利は、図８のブロック図における制御装置５８により形成される特別遊技制御手段によって発生及び消滅する。この権利中に、始動入賞口を形成する第３種始動口２３に入賞すると、大入賞口２５を形成する変動入賞装置２６が所定の態様で駆動される。尚、図８中、破線で示した電動役物ソレノイド▲２▼及びソレノイド駆動回路は、本実施形態では不要である。尚また、電源回路、クロック発生回路、分周回路、ＲＯＭ、ＲＡＭ、各入賞球検出回路、各種駆動回路、音声制御回路については説明しないが、各自所定の機能を実行する。
【００１５】
第３種始動口２３は、図示の実施形態によれば、球導入部５９を設けた回転体６０が所定時間（例えば、１２秒）で１回転するように設定してあり、上記所定時間が経過しないと第３種始動スイッチ６１に作用しないようになっている。尚、上記回転体６０は３種始動口駆動モータ６２を駆動源とする。
【００１６】
大入賞口２５を構成する変動入賞装置２６は、図示の実施形態によれば、大入賞口ソレノイド６３を駆動源として可動する一対の可動翼片６４を有してなり、打球が入賞できない第１状態と打球が極めて入賞し易い第２状態とに変換可能である。また、変動入賞装置２６は、入賞した球を検出する１０カウントスイッチ６５を備える。尚、この変動入賞装置２６は、第１状態と第２状態とに変換可能であれば他の形式のものでもよい。
【００１７】
この変動入賞装置２６は、第３種始動口２３に打球が入球して第３種始動スイッチ６１がオンする毎に、可動翼片６４を開放して第２状態に変換し、所定時間（例えば、１０秒）が経過するか、または所定個数（例えば、１０個）の入球があると、可動翼片６４を閉じて第２状態を終了する。尚、大入賞口２５が開放中に、第３種始動口２３に入球があっても、当該開放動作終了後に、引続き大入賞口２５を開放することはない。また、この実施形態では、第３種始動口２３を構成する回転体６０の１回転に要する時間が、大入賞口２５の開放時間よりも長いので、大入賞口２５が開放中に再び第３種始動口２３の第３種始動スイッチ６１がオンすることはない。
【００１８】
そして、権利中に、第３種始動口２３に打球が１６個入球するか、打球が再び特別入賞装置２０の特別領域５３を通過すると、特別入賞装置２０が作動を停止して権利が消滅する。即ち、上記大入賞口２５の開放回数は、最大１６回となる。尚、現在何回目の開放動作中か或は第３種始動口２３に何個入賞したかは、遊技部１５の右側下方部分に設けた９セグメントＬＥＤで構成した継続回数表示器６６（始動口入賞球数表示器）により可視表示する。尚、あと何回大入賞口２５を開放可能かを、最大開放回数である「１６」から減算して表示するようにしてもよい。
【００１９】
一方、本発明では、遊技盤１３に図柄表示装置を作動させるための可変入賞装置２１が配設してあり、この可変入賞装置２１は特別入賞装置２０の特別領域５３を通過した球によって作動する。図示の実施形態では、可変入賞装置２１として、センター役物１９の左側下方に、所謂チューリップ形式の左落し連動役物が配設してあり、この左落し連動役物が、特別領域５３を通過した球による裏連動によって、打球が入賞できない閉成状態から打球の入賞が容易な開成状態に変換する。即ち、遊技盤１３の裏面側に設けた連動樋６８によって、特別入賞装置２０の特別領域５３を通過した球が、可変入賞装置２１の裏面側に導かれ、当該可変入賞装置２１の一対の羽根６９を開成する。
【００２０】
そして、この可変入賞装置２１は、前記した普通図柄表示装置作動ゲート４８と同様に、第２図柄始動スイッチ６７（尚、図８及び図１２では図柄始動スイッチ▲２▼とする。）を臨ませて普通図柄表示装置１８の図柄始動口２２に設定してあるので、権利が消滅した後、この開成状態にある可変入賞装置２１を狙って打球を発射すれば、再び普通図柄表示装置１８の変動表示を容易に開始させることができる。従って、再び特別入賞装置２０を作動させて、遊技者に極めて有利な権利状態を創出することが容易となる。尚、図示の実施形態では、可変入賞装置２１の規定入賞数を１個に設定して、１回のみ入賞が可能になっているが、規定入賞数を複数に設定すれば、連続した図柄始動が可能になる。
【００２１】
上記したような実施形態によれば、初回の権利状態が終了した後、入賞が容易なように開成された可変入賞装置２１に、打球を入賞させれば、再び図柄表示装置を作動させることができて、再度権利状態を創出することが容易になる。従って、この一連の動作を繰り返すことにより、短時間に大量の賞球を獲得可能な遊技者に極めて有利な状態を形成することができる。
【００２２】
尚、この実施形態では、特別領域５３を特別入賞装置２０内に形成しているが、これに限定するものではない。例えば、球を始動口スイッチである第１図柄始動スイッチ５０内に一時停留させ、図柄を判定して当りならば振分手段を介して特別領域５３を通過した球と同様に可変入賞装置２１へ誘導し、この可変入賞装置２１を開成するように構成することもできる。
【００２３】
図８以降は、本発明の第２の実施形態を示す。この実施形態では、図９に示すように上記した第１の実施形態における遊技盤配置と同様な配置により行われるが、特別入賞装置２０と普通図柄始動口２２を形成する可変入賞装置２１とは連動していない。
【００２４】
そこで、この第２の実施形態では、可変入賞装置２１の羽根６９を電気的駆動源で作動する。即ち、第２の実施形態における可変入賞装置２１は電気的駆動源７０（図８では電動役物ソレノイド▲２▼とする。）を備え、図８のブロック図及び図１０ないし図１４に示すフローチャートにより制御される。尚、前記した第１の実施形態においても、図１０ないし図１４に示すフローチャートとほゞ同様な制御が実行されている。
【００２５】
図１０は、メインプログラムのフローチャートであって、例えば４ｍｓｅｃ毎に１回実行される。この実行は、図８の分周回路で４ｍｓｅｃ毎に発生するリセットパルスに応答して開始され、図８に示す制御装置５８のもと、ＲＡＭのクリア等の初期設定を実行し、ショートや断線、或はスイッチ類の撤去等の故障や不正改造がないか診断する不正処理を実行し、不正状態がなければ、遊技開始可能となり、回転盤制御処理以下を実行する。一方、不正状態を発見した場合には音声処理以下の処理を実行する。即ち、音声処理では、スピーカ３２から警報を発し、表示灯２９…を点灯或は点滅させる。
【００２６】
図１１に示す回転盤制御処理は、センター役物１９に設けた役物スイッチ４０を監視し、センター役物１９に天下入賞口３８から打球が飛入すると、スクリュー体３４の回転と同期しないように回転盤３３の回転速度を減速する。この減速により遊技者の期待感を向上させることができるし、遊技者による狙い撃ちを防止することができる。また、この減速は、作動タイマによって所定時間行われる。
【００２７】
図１２に示す普通図柄・電動役物制御処理では、図柄始動スイッチを監視する。即ち、図柄始動スイッチは、前記第１の実施形態と同様に、センター役物１９に設けた第１図柄始動スイッチ５０と、可変入賞装置２１に設けた第２図柄始動スイッチ６７とがある。そこで、可変入賞装置２１の作動を監視し、作動中ならば第２図柄始動スイッチ６７も監視する。また、可変入賞装置２１の作動タイマを監視し、タイムアップしたら可変入賞装置２１の開放動作を終了する。また、図柄の始動記憶は４個まで可能であり、第１図柄始動スイッチ５０、第２図柄始動スイッチ６７がオンしたとき始動記憶が４以下ならば記憶に＋１する。
【００２８】
一方、特別入賞装置２０が作動中ならば、当該特別入賞装置２０の作動終了条件である作動タイマのタイムアップ（１０秒）または入賞個数（１０個）を監視し、終了条件が成立したならば、特別入賞装置２０の作動を終了する。
【００２９】
普通図柄表示装置１８が変動表示中ならば、変動時間のタイムアップを監視し、タイムアップしたならば、図柄乱数により停止図柄を決定すると共に、該停止図柄で図柄を停止する。そして、停止した図柄が「７」ならば、特別入賞装置２０の作動を開始すると共に、作動タイマーをスタートさせる。尚、当りの決定方法は、図柄用の乱数発生を行うと共に、第１図柄始動スイッチ５０または第２図柄始動スイッチ６７を通過した時点での乱数値を読み込み（但し、第１図柄始動スイッチ５０及び第２図柄始動スイッチ６７の始動記憶があった場合、最高４個まで記憶する。）、読み込んでいた乱数値を判定し、当り外れを決定する。
【００３０】
一方、普通図柄表示装置１８が変動表示中でない場合には、図柄始動記憶の有無を判別し、始動記憶があれば、始動記憶を１減算して、普通図柄表示装置１８の変動表示を開始すると共に、図柄変動タイマーをスタートさせる。
【００３１】
図１３に示す大入賞口制御処理では、大入賞口２５である変動入賞装置２６の作動、即ち開放動作を監視し、作動中ならば１０カウントスイッチ６５及び１０秒タイマーを監視する。即ち、１０カウントスイッチ６５がオンする毎に大入賞口入賞球カウントに１加算し、該入賞球カウントが「１０」になったならば、大入賞口２５の作動を停止する。また、１０秒タイマーがタイムアップしたときも、大入賞口２５の作動を停止する。このとき、上記入賞球カウントが「０」ならば、ノーカウント不正と判別してノーカウント不正処理を開始する。
【００３２】
また、大入賞口２５が開放中ではなく、権利が発生中ならば、権利始動スイッチ、即ち第３種始動スイッチ６１のオンを監視する。権利始動スイッチがオンしたならば、大入賞口２５が作動中か判別し、作動中でないならば、大入賞口入賞球カウントをクリアすると共に大入賞口作動タイマーをスタートさせて、大入賞口２５の作動を開始する。そして、権利始動入賞球カウントに１加算し、該入賞球カウントを監視する。一方、上記権利始動スイッチがオンしたとき、大入賞口２５が作動中の場合は、直接上記権利始動入賞球カウントに１加算する。
【００３３】
そして、上記権利始動入賞球カウントが「１６」になったならば、権利を消滅し、第２図柄始動スイッチ６７を設けた可変入賞装置２１の作動タイマをスタートさせる。即ち、本実施形態が特徴とする権利消滅後に普通図柄表示装置１８における図柄の変動開始を容易にして、大当りと大当りとの間隔を短縮可能とする。
【００３４】
図１４に示す特別装置作動制御処理では、特別入賞装置２０の特別領域５３に臨ませた特別装置作動スイッチ５７のオンを監視し、該作動スイッチがオンしたならば、権利発生中か否かを判別し、権利発生中の場合はこの権利を消滅させ、権利が発生していない場合には権利を発生させて権利始動入賞球カウンタをクリアする。
【００３５】
この実施形態によれば、権利消滅後、普通図柄表示装置１８における図柄変動開始を容易にして再度権利状態を創出することが容易になるばかりではなく、特別入賞装置２０と普通図柄表示装置１８の図柄始動口２２に設定した可変入賞装置２１とを球によって連動させる必要がないので、裏連動を採る連動樋の形成が不要であって構造が簡単になる。
【００３６】
以上本発明を図面の実施形態について説明したが、本発明は上記した各実施形態に限定されるものではなく、特許請求の範囲に記載した構成を変更しない限り適宜に実施できる。
【００３７】
【発明の効果】
以上要するに本発明は、入賞室と、この入賞室に流入した遊技球を回転によって移送する回転盤と、流入した遊技球を回転によって揚送するスクリュー体とを備えたパチンコ機の入賞装置であって、電源投入中は所定の速度で回転を続けている前記回転盤と同じく電源投入中は所定の速度で回転を続けているスクリュー体とで振分装置を構成し、前記入賞室に流入した遊技球を検出する役物スイッチを設け、該役物スイッチの検出によって前記回転盤の回転速度を前記所定の速度から減速させて前記スクリュー体の回転速度より遅くし、流入した遊技球を前記回転盤に複数設けた球嵌入孔または球導入路の何れかに振り分け、前記振分装置により球嵌入孔に嵌入した遊技球をパチンコ機の機裏に排出し、球導入路に載った球をスクリュー体によって入賞室の上方へ揚送させ、前記入賞室の外部に形成された入賞路へ排出するので、遊技者の期待感を向上させることができる。
また、流入した遊技球をスクリュー体で揚送するので、球の動きが新鮮な入賞装置を提供することができ、遊技者の興趣が著しく高まる。
【図面の簡単な説明】
【図１】パチンコ機の正面図である。
【図２】センター役物の正面図である。
【図３】センター役物のＡ−Ａ線における横断面図である。
【図４】センター役物の縦断面図である。
【図５】センター役物の動作説明である。
【図６】特別入賞装置の正面図である。
【図７】特別入賞装置の縦断面図である。
【図８】制御装置系のブロック図である。
【図９】他の実施形態を示す遊技盤の正面図である。
【図１０】パチンコ機のメインプログラムのフローチャートである。
【図１１】回転盤制御処理プログラムのフローチャートである。
【図１２】普通図柄・電動役物制御処理プログラムのフローチャートである。
【図１３】大入賞口制御処理プログラムのフローチャートである。
【図１４】特別装置作動制御処理プログラムのフローチャートである。
【符号の説明】
１  パチンコ機
１８  普通図柄表示装置
１９  センター役物
２０  特別入賞装置
２１  可変入賞装置
２３  始動入賞口としての第３種始動口
２６  変動入賞装置
３３  回転盤
３４  スクリュー体
３５  入賞室
３７  役物スクリュー駆動モータ
５３  特別領域
５４  一般入賞領域
５５  通過領域
【図１】
0003961747.tif 000002
【図２】
0003961747.tif 000003
【図３】
0003961747.tif 000004
【図４】
0003961747.tif 000005
【図５】
0003961747.tif 000006
【図６】
0003961747.tif 000007
【図７】
0003961747.tif 000008
【図８】
0003961747.tif 000009
【図９】
0003961747.tif 000010
【図１０】
0003961747.tif 000011
【図１１】
0003961747.tif 000012
【図１２】
0003961747.tif 000013
【図１３】
0003961747.tif 000014
【図１４】
0003961747.tif 000015